(57)【要約】    【課題】      発信者の発信内容の優先度（重要度）を着信者に通知することができる携帯電話を提供すること。    【解決手段】  本発明は、発信側端末１００が発信の通信制御情報内に含めて送信し、着信側端末１０１が優先度を含めた通信制御情報を受信し、受信した優先度を含めた通信制御情報を解析し優先度を抽出し、解析した優先度に応じた着信音パターンもしくは表示パターンを選択し、選択した着信音パターンもしくは表示パターンを出力することにより優先度を提示する。これにより、着信側端末１０１は、着信音パターンもしくは表示パターンにより、発信の優先度をユーザに対して通知できる。  【選択図】      図１
2006025019.tif 000002
【特許請求の範囲】
【請求項１】
発信の優先度を入力する優先度入力手段と、前記優先度を送信する送信手段と、を有する発信側端末と、
前記優先度を受信する受信手段と、前記優先度に応じた提示方法を選択する着信音選択手段と、選択した前記提示方法で前記優先度を提示する提示手段と、を有する着信側端末と、
を具備したことを特徴とする携帯電話システム。
【請求項２】
前記発信側端末は、前記優先度を通信制御情報内に含めて送信し、
前記着信側端末は、前記優先度を含めた前記通信制御情報を解析し優先度を抽出し、解析した前記優先度に応じた提示方法を選択することを特徴とする請求項１記載の携帯電話システム。
【請求項３】
前記提示方法は、着信音パターンもしくは表示パターンであることを特徴とする請求項１または請求項２記載の携帯電話システム。
【請求項４】
発信の優先度を入力する優先度入力手段と、前記優先度を通信制御情報内に含める通信制御情報設定手段と、前記優先度を含めた前記通信制御情報を送信する送信手段と、を具備したことを特徴とする発信側端末。
【請求項５】
優先度を含めた通信制御情報を受信する受信手段と、受信した前記優先度を含めた通信制御情報を解析し優先度を抽出する優先度解析手段と、解析した前記優先度に応じた提示方法を選択する着信音選択手段と、選択した前記提示方法で前記優先度を提示する提示手段と、を具備したことを特徴とする着信側端末。
【請求項６】
発信側が発信の通信制御情報内に含めて送信し、
着信側が前記優先度を含めた通信制御情報を受信し、受信した前記優先度を含めた通信制御情報を解析し優先度を抽出し、解析した前記優先度に応じた提示方法を選択し、選択した前記提示方法で前記優先度を提示することを特徴とする発信優先度通知方法。
【発明の詳細な説明】
【技術分野】
【０００１】
本発明は、ユーザに対して優先度通知をする携帯電話システムに関連する。
【背景技術】
【０００２】
従来より、ユーザに対して優先度通知する機能を持った携帯電話がある（例えば、特許文献１）。この携帯電話は、予め発信者毎に優先度と優先度に応じた着信音パターンを決めておき、着信時に、発信者の優先度により着信音パターンを変えることにより、ユーザに対して発信者の優先度を通知するものである。
【特許文献１】特開２００１−１８９７７８号公報
【発明の開示】
【発明が解決しようとする課題】
【０００３】
しかしながら、特許文献１の方法は、あくまで着信者側で発信者毎の優先度を設定しているため、発信者側から優先度（重要度）を着信者に通知することはできない。すなわち、着信者側にて重要と判断されないと発信者の思惑が着信者側に伝わらないといった課題がある。
【０００４】
本発明は、このような問題を解決するためになされたもので、発信者の発信内容の優先度（重要度）を着信者に通知することを目的とする。
【課題を解決するための手段】
【０００５】
本発明の携帯電話システムは、発発信の優先度を入力する優先度入力手段と、前記優先度を送信する送信手段と、を有する発信側端末と、前記優先度を受信する受信手段と、前記優先度に応じた提示方法を選択する着信音選択手段と、選択した前記提示方法で前記優先度を提示する提示手段と、を有する着信側端末と、を具備した構成を採る。
【０００６】
この構成により、発信側端末から着信側端末に対して、発信の優先度（重要度）を通知できる。そして、着信側端末において、発信の優先度に応じた提示方法により、着信者に発信の優先度を通知することができる。
【０００７】
また、本発明は、上記携帯電話システムにおいて、前記発信側端末は、前記優先度を通信制御情報内に含めて送信し、前記着信側端末は、前記優先度を含めた前記通信制御情報を解析し優先度を抽出し、解析した前記優先度に応じた提示方法を選択する。
【０００８】
このように、発信の優先度を通信制御情報内に設定することにより、携帯電話システムの網構成を拡張することなく、簡単に着信側端末に優先度を送信できる。
【０００９】
また、本発明は、上記携帯電話システムにおいて、前記提示方法は、着信音パターンもしくは表示パターンである。
【００１０】
この構成により、優先度を聴覚的もしくは視覚的にユーザに提示することができる。
【００１１】
本発明の発信側端末は、発信の優先度を入力する優先度入力手段と、前記優先度を通信制御情報内に含める通信制御情報設定手段と、前記優先度を含めた前記通信制御情報を送信する送信手段と、を具備した構成を採る。
【００１２】
本発明の着信側端末は、優先度を含めた通信制御情報を受信する受信手段と、受信した前記優先度を含めた通信制御情報を解析し優先度を抽出する優先度解析手段と、解析した前記優先度に応じた提示方法を選択する着信音選択手段と、選択した前記提示方法で前記優先度を提示する提示手段と、を具備した構成を採る。
【００１３】
本発明の発信優先度通知方法は、発信側が発信の通信制御情報内に含めて送信し、着信側が前記優先度を含めた通信制御情報を受信し、受信した前記優先度を含めた通信制御情報を解析し優先度を抽出し、解析した前記優先度に応じた提示方法を選択し、選択した前記提示方法で前記優先度を提示する。
【発明の効果】
【００１４】
本発明によれば、発信者の発信内容の優先度（重要度）を着信者に通知できる。
【発明を実施するための最良の形態】
【００１５】
（実施の形態１）
以下、本発明の実施の形態１にかかる携帯電話について、添付図面を用いて説明する。まず、実施の形態１にかかる携帯電話を含む携帯電話システムについて図１を用いて説明する。図１は、実施の形態１にかかる携帯電話システムのブロック図である。
【００１６】
実施の形態１にかかる携帯電話システムは、発信側端末１００と着信側端末１０１とが、交換網１０２を介して無線通信するようになっている。
【００１７】
次に、発信側端末１００の構成について説明する。発信側端末１００は、アンテナ１０３によって電波を受信し、この受信信号を送受信部１０４で変復調処理をし、制御部１０５へ入力して符復号処理及び誤り訂正処理する。さらに、制御部１０５は出力信号をマイクスピーカ１０６に送りスピーカによって音声出力する。また、発信側端末１００は、マイクスピーカ１０６のマイクによって入力された音声信号を、制御部１０５で符復号処理及び誤り訂正処理し、送受信装置１０４に入力し変復調処理し、アンテナ１０３より送信する。
【００１８】
また、発信側端末１００には、電話番号などを入力するテンキーなどの入力部１０７と、各種情報を表示する液晶モニタなどの表示部１０８が設けられている。
【００１９】
また、発信側端末１００には、優先度入力部１０９と通信制御情報設定部１１０が設けられている。
【００２０】
優先度入力部１０９は、テンキーなどであり、発信側端末１００より発信動作を行う際に発信者が発信の優先度を設定するための手段である。優先度入力部１０９から入力された優先度は通信制御情報設定部１１０に入力される。なお、優先度入力部１０９と入力部１０７とをひとつの構成にしてもよい。
【００２１】
通信制御情報設定部１１０は、優先度入力部１０９より通知された優先度を認識し、通信制御情報に優先度を設定する手段である。通信制御情報設定部１１０は、優先度を設定した通信制御情報を制御部１０５に送り、制御部１０５が送受信部１０４、アンテナ１０３を介して、交換網１０２に対して送信する。
【００２２】
通信制御情報の具体例としては、着サブアドレスやユーザ・ユーザ情報などＩＳＤＮを用いて通信で使われるものが考えられる。
【００２３】
以上のような構成により、発信側端末１００は、発信側において通信制御情報を使用して発信の優先度を送信する。
【００２４】
次に、交換網１０２の構成について説明する。交換網１０２には、交換制御部１１１が存在する。交換制御部１１１は、アンテナ１１２を介して、発信側端末１００からの発信要求の受信、着信側端末１０１への着信通知、着信側端末１０１への発信者番号通知などの携帯電話システムにおいて一般的に交換基地局と呼ばれるものの機能全般を担うブロックである。また、交換網１０２は、通信制御情報内に設定された優先度を着信側端末１０１に透過する機能も持つ。
【００２５】
次に、着信側端末１０１の構成について、説明する。なお、発信側端末１００と同一の部分には、同一の符号を付与し、詳細な説明を省略する。
【００２６】
着信側端末１０１には、優先度解析部１１３と着信音選択部１１４が設けられている。
【００２７】
優先度解析部１１３は、交換網１０２より着信時に送信された通信制御情報内の優先度を解析し、着信音選択部１１４に対して、優先度に応じた着信音を選択するように指示を出す。
【００２８】
着信音選択部１１４は、発信の優先度１１６と優先度に対する着信音パターン１１７の組を複数格納したテーブル１１５を具備し、テーブル１１５を参照し、優先度解析部１１３からの指示された優先度に対応する着信音パターン１１７を選択し、選択した着信音パターンをマイクスピーカ１０６のスピーカに出力する機能を持つ。
【００２９】
以上の構成により、着信側端末１０１は、発信の優先度に応じた着信音パターンを出力する。
【００３０】
次に、実施の形態１にかかる携帯電話システムの動作について図２のシーケンス図を用いて説明する。
【００３１】
まず、発信側端末１００において、入力部１０７からユーザにより着信側端末１０１の番号である着信者番号が入力される（ＳＴ２０１）。次に、発信側端末１００において、優先度入力部１０９からユーザにより発信の優先度が入力される（ＳＴ２０２）。
【００３２】
次に、発信側端末１００は、入力された着信者番号と発信者番号を制御部１０５で符復号処理及び誤り訂正処理し、送受信部１０４で変復調処理し、アンテナ１０３より交換網１０２に送信する（ＳＴ２０３、ＳＴ２０４）。
【００３３】
次に、発信側端末１００は、通信制御情報設定部１１０において、優先度入力部１０９から入力された発信の優先度を、通信制御情報内に設定した後、制御部１０５で符復号処理及び誤り訂正処理し、送受信部１０４で変復調処理し、アンテナ１０３より交換網１０２に送信する（ＳＴ２０５）。
【００３４】
通信制御情報の具体例としては、携帯電話システムの網構成を拡張することなく、優先度を送信できる、着サブアドレスやユーザ・ユーザ情報などが考えられる。
【００３５】
これに対して、交換網１０２の交換制御部１１１が、発信側端末１００より発信要請のあった着信側端末１０１への着信通知および発信者番号の通知を行う（ＳＴ２０６）。また、これと共に、交換制御部１１１は、発信側端末１００より送信された通信制御情報内の優先度を着信側端末１０１に透過する（ＳＴ２０７）。
【００３６】
これに対して、着信側端末１０１は、着信通知と通信制御情報を受け、優先度解析部１１３が通信制御情報内の優先度を解析し、その優先度を着信音選択部１１４に送る（ＳＴ２０８）。
【００３７】
次に、着信音選択部１１４は、テーブル１１５を参照し、送られてきた優先度に応じた着信音パターンを選択する（ＳＴ２０９）。そして、着信音選択部１１４は、選択した着信音パターンをマイクスピーカ１０６のスピーカから出力する（ＳＴ２１０）。
【００３８】
以上説明したように、実施の形態１によれば、発信側端末１００から着信側端末１０１に対して、発信の優先度（重要度）を通知できる。そして、着信側端末１０１において、発信の優先度に応じた着信音パターンにより音声を出力することにより、着信者に発信の優先度を聴覚的に通知することができる。
【００３９】
また、実施の形態１によれば、発信の優先度を通信制御情報内に設定することにより、携帯電話システムの網構成を拡張することなく、簡単に着信側端末１０１に優先度を送信できる。
【００４０】
なお、実施の形態１では、発信側端末１００および着信側端末１０１に携帯電話を使用して説明したが、携帯電話でなく固定電話などの固定式の端末であっても良い。
【００４１】
（実施の形態２）
実施の形態２は、発信の優先度の通知方法として、表示パターンを変えるものである。
【００４２】
以下、実施の形態２にかかる着信側端末について、図３を用いて詳細に説明する。なお、すでに説明した部分と同一の部分には同一の符号を付与し、詳細な説明を省略する。
【００４３】
実施の形態２にかかる着信側端末３００には、表示選択部３０１が設けられている。表示選択部３０１は、発信の優先度１１６と優先度に対する表示パターン３０３の組を複数格納したテーブル３０２を具備し、テーブル３０２を参照し、優先度解析部１１３からの指示された優先度に対応する表示パターン３０３を選択し、選択した表示パターン３０３を表示部１０８に出力する機能を持つ。
【００４４】
表示部１０８は、選択された表示パターン３０３に応じた表示を行う。表示パターン３０３としては、点灯パターン、表示色などがある。
【００４５】
以上説明したように、実施の形態２によれば、発信側端末１００から着信側端末３００に対して、発信の優先度（重要度）を通知できる。そして、着信側端末３００において、発信の優先度に応じた表示パターンに応じた表示をすることにより、着信者に発信の優先度を視覚的に通知することができる。
【００４６】
なお、実施の形態２では、優先度に応じて表示パターンを変える形態で説明したが、優先度に応じてバイブレータの振動パターンを変える形態であっても良い。つまり、発信の優先度をユーザに提示できる形態であれば良い。
【産業上の利用可能性】
【００４７】
以上、説明したように本発明によれば、通信制御情報に優先度（重要度）の意味合いを持たせることにより、携帯電話システムの網構成を拡張することなく、発信者からの発信内容の優先度（重要度）を着信者に通知することができる。
【図面の簡単な説明】
【００４８】
【図１】本発明の実施の形態１にかかる携帯電話システムの機能ブロック図
【図２】実施の形態１にかかる携帯電話システムの処理のシーケンス図
【図３】本発明の実施の形態２にかかる携帯電話システムの機能ブロック図
【符号の説明】
【００４９】
１００  発信側端末
１０１、３００  着信側端末
１０２  交換網
１０９  優先度入力部
１１０  通信制御情報設定部
１１３  優先度解析部
１１４  着信音選択部
１１５、３０２  テーブル
３０１  表示選択部
【図１】
2006025019.tif 000003
【図２】
2006025019.tif 000004
【図３】
2006025019.tif 000005